(57)【要約】      （修正有）【課題】マルチメディアビデオ再生装置を提供する。【解決手段】マルチメディアビデオ再生装置は、マルチメディアデータを受信する入力モジュール１１０と、該入力モジュールに電気的に接続され、画像を出力する投影モジュール１２０と、入力モジュールに電気的に接続され、音声データを計算、並びに処理するバーチャルサラウンド処理モジュール１３０と、入力モジュールとバーチャルサラウンド処理モジュールに電気的に接続され、入力モジュールとバーチャルサラウンド処理モジュールからの音声データを受信、並びに、処理する拡大機モジュール１４０、及び、拡大機モジュールに電気的に接続され、音声データを出力し、二個以上のスピーカー単体を有する第一出力ユニットとを含む。内蔵された投影モジュールとバーチャルサラウンド処理モジュールを利用して、マルチメディアビデオ再生装置が、視覚とサラウンド音響の効果を達成することができる。【選択図】図１
0003171260.tif 000002
【実用新案登録請求の範囲】
【請求項１】
マルチメディアビデオ再生装置であって、
マルチメディアデータを受信し、前記マルチメディアデータは、第一音声データとビデオデータの少なくとも１つを含む入力モジュールと、
前記入力モジュールに電気的に接続され、前記ビデオデータを外部の被投影面上に投影する投影モジュールと、
前記入力モジュールに電気的に接続され、前記第一音声データを計算、並びに処理して、第二音声データを出力するバーチャルサラウンド処理モジュールと、
前記入力モジュールと前記バーチャルサラウンド処理モジュールに電気的に接続され、前記第一音声データ、及び、前記第二音声データの１つを受信、並びに、処理して、第三音声データを出力する拡大機モジュール、及び、
前記拡大機モジュールに電気的に接続され、前記第三音声データを出力し、二個以上のスピーカー単体を含む第一出力ユニットと、
を含むことを特徴とするマルチメディアビデオ再生装置。
【請求項２】
更に、前記バーチャルサラウンド処理モジュールと電気的に接続され、前記第三音声データの低音部分を外部の重低音裝置に伝送する無線低音モジュールを有することを特徴とする請求項１に記載のマルチメディアビデオ再生装置。
【請求項３】
前記入力モジュールは、ネットワークからの入力、外部ビデオ装置からの入力、外部マルチメディア読取装置からの入力、外部音源裝置からの入力を含む前記マルチメディアデータを受信するのに用いられることを特徴とする請求項１又は２に記載のマルチメディアビデオ再生装置。
【請求項４】
前記投影モジュールの投影位置は、前記マルチメディアビデオ再生装置本体の上方で、且つ、前記マルチメディアビデオ再生装置は、前記投影モジュールと接続され、前記マルチメディアビデオ再生装置の前記上方に位置する板状の素子を有し、前記板状の素子は、前記投影モジュールを前記マルチメディアビデオ再生装置内に収納することを特徴とする請求項１から３の何れかの１項に記載のマルチメディアビデオ再生装置。
【請求項５】
前記板状の素子は旋転部を有し、前記板状の素子は前記旋転部を軸とし、前記投影モジュールの投影角度を調整することを特徴とする請求項４に記載のマルチメディアビデオ再生装置。
【請求項６】
前記マルチメディアデータは、圧縮された、又は、未圧縮のデジタルビデオデータで、前記マルチメディアデータが圧縮された前記デジタルビデオデータの時、前記マルチメディアビデオ再生装置は、更に、前記入力モジュールと電気的に接続されるデコードモジュールを含み、前記デジタルビデオデータをデコードすると共に、デコード後の前記デジタルビデオデータを、前記バーチャルサラウンド処理モジュールと前記投影モジュールに伝送し、前記マルチメディアデータが未圧縮の前記デジタルビデオデータの時、前記デジタルビデオデータは、直接、前記バーチャルサラウンド処理モジュールと前記投影モジュールに伝送されることを特徴とする請求項１から５の何れかの１項に記載のマルチメディアビデオ再生装置。
【請求項７】
更に、前記デコードモジュールと接続されるマルチメディア読み取りユニットを有し、前記読み取りユニットはマルチメディアストレージユニットを読み取って、前記デジタルビデオデータを提供することを特徴とする請求項６に記載のマルチメディアビデオ再生装置。
【請求項８】
前記マルチメディア読み取りユニットは、ハードディスク、ビデオディスクプレーヤー、及び、ゲーム機を含むことを特徴とする請求項７に記載のマルチメディアビデオ再生装置。
【請求項９】
更に、前記入力モジュールと該デコードモジュールに電気的に接続され、前記マルチメディアデータ、及び、デコード後の前記デジタルビデオデータの１つを出力する第二出力ユニットを有することを特徴とする請求項６に記載のマルチメディアビデオ再生装置。
【考案の詳細な説明】
【技術分野】
【０００１】
本考案は、マルチメディアビデオ再生装置技術に関するものであって、特に、多機能のマルチメディアビデオ再生装置に関するものである。
【背景技術】
【０００２】
公知の家庭シアターは、多くの異なる装置で構成され、裝置間は複数のケーブルで連接されている。家庭シアターは大きい空間を占有し、一般の多くの客間には設置することができない。また、設備は非常に高価なもので、一般家庭が気軽に購入できるものではない。更に、設置前に、装置間に多数のケーブルがあることを考慮しておかないと、線材が露出し、美観に影響する。
【考案の概要】
【考案が解決しようとする課題】
【０００３】
上述の問題を解決するため、本考案は、マルチメディアビデオ再生装置を提供し、内蔵された投影モジュール、及び、バーチャルサラウンド処理モジュールを利用して、マルチメディアビデオ再生装置が、視覚とサラウンド音響の效果を達成できるようにすることを目的とする。
【課題を解決するための手段】
【０００４】
上述の目的を達成するため、本考案の実施例によるマルチメディアビデオ再生装置は、マルチメディアデータを受信し、マルチメディアデータが、第一音声データとビデオデータの少なくとも１つを含む入力モジュールと、入力モジュールに電気的に接続され、ビデオデータを外部の被投影面上に投影する投影モジュールと、入力モジュールに電気的に接続され、第一音声データを計算、並びに処理して、第二音声データを出力するバーチャルサラウンド処理モジュールと、入力モジュールとバーチャルサラウンド処理モジュールに電気的に接続され、第一音声データ、及び、第二音声データの１つを受信、並びに処理して、第三音声データを出力する拡大機モジュール、及び、拡大機モジュールに電気的に接続され、第三音声データを出力し、二個以上のスピーカー単体を有する第一出力ユニットと、を含む。
【考案の効果】
【０００５】
本考案のマルチメディアビデオ再生装置は、視覚とサラウンド音響の效果を達成する他、余分な外接線路がなく、体積が小さく、一般家庭での使用に適する。
【図面の簡単な説明】
【０００６】
【図１】本考案の実施例によるマルチメディアビデオ再生装置を示す図である。
【図２】本考案の実施例によるマルチメディアビデオ再生装置を示す図である。
【図３】本考案の実施例によるマルチメディアビデオ再生装置を示す図である。
【図４】本考案の実施例によるマルチメディアビデオ再生装置を示す図である。
【図５】本考案の実施例によるマルチメディアビデオ再生装置の実際の使用を示す図である。
【図６】本考案の実施例によるマルチメディアビデオ再生装置の実際の使用を示す図である。
【図７Ａ】本考案の実施例による投影モジュールの投影位置を示す図である。
【図７Ｂ】本考案の実施例による投影モジュールの投影位置を示す図である。
【図７Ｃ】本考案の実施例による投影モジュールの投影位置を示す図である。
【考案を実施するための形態】
【０００７】
図１を参照すると、図１は、本考案の実施例によるマルチメディアビデオ再生装置を示す図である。図で示されるように、マルチメディアビデオ再生装置１００は、入力モジュール１１０、投影モジュール１２０、バーチャルサラウンド処理モジュール１３０、拡大機モジュール１４０、及び、第一出力ユニット１５０を含む。図１で示されるように、入力モジュール１１０は、外部から入力されるマルチメディアデータＭＤを受信するのに用いられ、マルチメディアデータＭＤは、第一音声データＳ１とビデオデータＩの少なくとも１つを含む。マルチメディアデータＭＤは、ビデオデータＩと第一音声データＳ１を、それぞれ、入力モジュール１１０と電気的に接続する投影モジュール１２０とバーチャルサラウンド処理モジュール１３０とに伝送する。投影モジュール１２０は、ビデオデータＩを外部の被投影面上に投影する。バーチャルサラウンド処理モジュール１３０は、第一音声データＳ１を計算、並びに処理して、第二音声データＳ２を出力する。拡大機モジュール１４０は、入力モジュール１１０とバーチャルサラウンド処理モジュール１３０に電気的に接続されて、第一音声データＳ１、又は、第二音声データＳ２を受信、並びに処理して、第三音声データＳ３を出力する。最後に、第一出力ユニット１５０は、拡大機モジュール１４０に電気的に接続されて、第三音声データＳ３を出力するのに用いられ、第一出力ユニット１５０は、二個以上のスピーカー単体１５１を有し、スピーカー単体１５１は、これに限定されないが、左右メインスピーカー、及び、左右サラウンドスピーカーを含み、バーチャルサラウンド処理モジュール１３０が受け取る第一音声データＳ１を計算するにより、シミュレーションサラウンド效果を生成し、拡大機モジュール１４０の推動により、スピーカー単体１５１は、元は異なる位置にあった５．１スピーカーに、サラウンド效果を生成させる。
【０００８】
続いて、１つの実施例中、図２で示されるように、マルチメディアビデオ再生装置１００は、更に、バーチャルサラウンド処理モジュール１３０と電気的に接続し、第二音声データＳ２の低音部分を外部の重低音出力装置２００に伝送するのに用いられる無線低音モジュール１６０を含む。本考案は、無線伝送の方式を用いて、音声内容を裝置外の重低音出力装置２００に伝送し、接線と線材が露出する問題を回避する。
【０００９】
更に、別の実施例中、図３を参照すると、マルチメディアデータＭＤは、圧縮された、又は、未圧縮のデジタルビデオデータで、圧縮されたデジタルビデオデータにデコードを実行するため、マルチメディアビデオ再生装置１００は、更に、デコードモジュール１７０を含む。このデコードモジュール１７０は、入力モジュール１１０と電気的に接続し、デコード後のデジタルビデオデータは、それぞれ、バーチャルサラウンド処理モジュール１３０と投影モジュール１２０に伝送されて、音声と画像を出力するか、又は、デコード後のデジタルビデオデータは、直接、第二出力ユニット１５２により出力されてもよい。この他、マルチメディアデータが未圧縮のデジタルビデオデータである場合、デジタルビデオデータは、デコードモジュール１７０に処理されず、それぞれ、バーチャルサラウンド処理モジュール１３０と投影モジュール１２０に伝送される。理解できることは、入力されたマルチメディアデータが、デコードも、バーチャルサラウンド処理モジュール１３０の処理も不要である場合、入力モジュール１１０から伝送された画像と音声は、直接、入力モジュール１１０と電気的に接続する第二出力ユニット１５２から出力できることである。
【００１０】
この他、本考案のマルチメディアデータは、多種の外部インターフェースにより入力、又は、マルチメディアビデオ再生装置１００内部から、直接、読み取られる。図４は、マルチメディアデータが外部から入力される実施例を示す。図５は、マルチメディアデータが、マルチメディアビデオ再生装置１００内部から直接読み取られることを示す。まず、図４を参照すると、入力モジュール１１０は、ネットワークからの入力Ｉｎｐｕｔ１、外部ビデオ装置からの入力Ｉｎｐｕｔ２、外部マルチメディア読取装置からの入力Ｉｎｐｕｔ３、外部音源裝置からの入力Ｉｎｐｕｔ４を含むマルチメディアデータを受信するのに用いることができる。外部ビデオ装置からの入力Ｉｎｐｕｔ２は、例えば、高解像度マルチメディアインターフェース（ΘｉｇΘ  Ｄｅｆｉｎｉｔｉｏｎ  Ｍｕｌｔｉｍｅｄｉａ  Ｉｎｔｅｒｆａｃｅ，ΘＤＭＩ）により伝送される高画質オーディオマルチメディアデータを含む。マルチメディア読取装置入力Ｉｎｐｕｔ３は、ユニバーサルシリアルバス（Ｕｎｉｖｅｒｓａｌ  Ｓｅｒｉａｌ  Ｂｕｓ，ＵＳＢ）等の高速伝送インターフェースにより外接されるハードディスク、ＤＶＤローダー（Ｄｉｇｉｔａｌ  Ｖｉｄｅｏ  Ｄｉｓｋ  ｌｏａｄｅｒ，  ＤＶＤ  ｌｏａｄｅｒ）、ブルーレイディスクローダー（Ｂｌｕ−ｒａｙ  Ｄｉｓｃ  ｌｏａｄｅｒ，  ＢＤ  ｌｏａｄｅｒ）、及び、ゲーム機により読み取られるマルチメディアデータを含む。１つの実施例中、外部音源裝置入力Ｉｎｐｕｔ４は、左右サラウンドからの入力、イヤフォンジャック入力、マイクロフォン入力、光ファイバ、又は、同軸ケーブルを用いて入力された圧縮、又は、未圧縮のデジタル音源、及び、手持式ビデオ装置、例えば、ｉＰｏｄ、ｉＰΘｏｎｅやｉＰａｄ等により入力されるマルチメディアデータを含む。
【００１１】
上述の説明を継続するため、図５を参照すると、１つの実施例中、マルチメディアビデオ再生装置１００は、マルチメディア読み取りユニット１８０を内蔵して、光ディスク上の圧縮されたデジタルビデオデータを読み取ることもでき、マルチメディア読み取りユニット１８０とデコードモジュール１７０は連接され、読み取られたデジタルビデオデータのデコードが便利である。マルチメディア読み取りユニット１８０は、これらに限定されないが、ハードディスク、ビデオディスクプレーヤー、及び、ゲーム機を含む。上述の説明のように、ビデオディスクプレーヤーは、これらに限定されないが、ＤＶＤプレーヤー、及び、ＢＤプレーヤーを含む。理解できることは、本考案のマルチメディアビデオ再生装置裝１００は、同時に、多種の外部入力インターフェースの入力モジュール１１０、及び、内蔵されたマルチメディア読み取りユニット１８０を有し、使用者が入力方式を選択できることで、功能と構造は上述したので、ここで詳述しない。
【００１２】
最後に、図６で示されるように、図６は、本考案の実施例によるマルチメディアビデオ再生装置の実際の使用を示す図である。図で示されるように、使用者３００が、空間で、本考案の実施例によるマルチメディアビデオ再生装置１００を使用する時、マルチメディアビデオ再生装置１００は、内部計算により、左サラウンド音響ＳＬ、右サラウンド音響ＳＲ、左メイン音響Ｌ、右メイン音響Ｒ、及び、ミドル音響Ｃを生成すると共に、マルチメディアビデオ再生装置１００前方１０２に位置するスピーカー単体１５１により出力される。この他、重低音の部分は、無線伝送を利用して、外部の重低音出力装置２００に、重低音、又は、超重低音の音響を発出させることもでき、画像部分は、マルチメディアビデオ再生装置１００後方１０４に位置する投影モジュール１２０により、被投影面４００上、例えば、壁面や布幕に投影されて、使用者３００が、視覚と聴覚を同時に享受できるようにする。この他、本考案のマルチメディアビデオ再生装置は、その他の余分な外接線路がないので、空間を美観に維持でき、多くの空間を占有しない。
【００１３】
また、図６で示される投影モジュール１２０は、投影位置が、マルチメディアビデオ再生装置１００の後方１０４であるが、マルチメディアビデオ再生装置１００の上方に設置してもよい。図７Ａ、図７Ｂ、及び、図７Ｃを参照すると、図７Ａ〜図７Ｃは、投影モジュールの投影位置が、マルチメディアビデオ再生装置１００の主体上方１０６に位置する実施例を示す。まず、図７Ａを参照すると、マルチメディアビデオ再生装置１００は、投影モジュール１２０に接続され、マルチメディアビデオ再生装置１００の上方１０６に位置する板状の素子１９０を有し、投影しない時、板状の素子１９０は、投影モジュール１２０をマルチメディアビデオ再生装置１００内に収納し、マルチメディアビデオ再生装置１００が整った外観を有する。画像を投影する時、図７Ｂと図７Ｃで示されるように、板状の素子１９０を起こすと、投影モジュール１２０のレンズが、マルチメディアビデオ再生装置１００の上方１０６に位置し、板状の素子１９０は、旋転部１９２を回転軸とし、投影モジュール１２０と被投影面４００の位置と距離ｄに基づいて、投影モジュール１２０の投影角度を調整する。板状の素子１９０は、図中の角度Θで示されるように、前後に可動で、使用時の便利性を増加する。
【００１４】
上述に基づくと、本考案の特徴の１つは、マルチメディアビデオ再生装置自身が、多種の読み取りマルチメディアデータのモジュールを有し、且つ、装置内のデコードモジュールと合わせて、現在の全てのフォーマットのデジタル圧縮データを再生することができ、使用上、非常に便利である。この他、裝置内のバーチャルサラウンドモジュール、及び、複数のスピーカー単体は、本来は６個以上のスピーカーのサラウンド效果を達成し、使用者は、高価な家庭シアターと同じレベルを楽しむことができる。更に、本考案のマルチメディアビデオ再生装置と公知の家庭シアター設備を比較すると、余分な外接線路がなく、体積も、公知の家庭シアター設備と比べると小さく、一般家庭での使用に適する。
【００１５】
総合すると、本考案は、マルチメディアビデオ再生装置を提供し、内蔵された投影モジュールとバーチャルサラウンド処理モジュールを利用して、マルチメディアビデオ再生装置は、視覚とサラウンド音響の効果を達成することができる。
【００１６】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００１７】
0003171260.tif 000003
【図１】
0003171260.tif 000004
【図２】
0003171260.tif 000005
【図３】
0003171260.tif 000006
【図４】
0003171260.tif 000007
【図５】
0003171260.tif 000008
【図６】
0003171260.tif 000009
【図７Ａ】
0003171260.tif 000010
【図７Ｂ】
0003171260.tif 000011
【図７Ｃ】
0003171260.tif 000012